(57)【要約】      （修正有）【課題】上位装置からの取り外し前に光通信モジュールの電力消費を低減することが可能な光通信モジュールを提供する。【解決手段】光通信モジュール１０は、上位装置から供給される電力によって動作する光通信部２０と、上位装置に取り付けられた当該光通信モジュール１０に対して外部から所定の操作が行われたことを表す信号を受け入れて、光通信部２０への電力供給を抑制する動作制御・電力制御回路３０を含む。【選択図】図４
2010093638.tif 000002
【特許請求の範囲】
【請求項１】
上位装置から供給される電力によって動作する光通信部を含み、前記上位装置に対して着脱可能な光通信モジュールであって、
前記上位装置に取り付けられた当該光通信モジュールに対して外部から所定の操作が行われたことを表す信号を受け入れて、前記光通信部への電力供給を抑制する電力制御部を含む、
ことを特徴とする光通信モジュール。
【請求項２】
外部からの機械的操作を受ける操作受付部を更に含み、
前記電力制御部は、前記操作受付部が前記機械的操作を受けたことを表す信号を受け入れる、
請求項１に記載の光通信モジュール。
【請求項３】
前記操作受付部は、前記機械的操作を受けるのに伴って、当該光通信モジュールと前記上位装置との係止を解除する、
請求項２に記載の光通信モジュール。
【請求項４】
当該光通信モジュールと前記上位装置とを係止する係止片の変位が検知されて、前記信号が出力される、
請求項３に記載の光通信モジュール。
【請求項５】
前記機械的操作の方向は、当該光通信モジュールの取り外し方向とは異なる、
請求項３に記載の光通信モジュール。
【請求項６】
前記機械的操作の方向は、当該光通信モジュールに設けられた軸を中心とする回転方向である、
請求項３に記載の光通信モジュール。
【請求項７】
光端子が着脱可能な端子取付部を更に含み、
前記電力制御部は、前記光端子が前記端子取付部から取り外されたことを表す信号を受け入れる、
請求項１に記載の光通信モジュール。
【請求項８】
前記光端子が前記端子取付部に取り付けられているか否かを検知する検知部を更に含む、
請求項７に記載の光通信モジュール。
【請求項９】
前記光通信部は受光素子を含み、
前記受光素子が受信する光の強度が所定以下になったときに、前記信号が出力される、
請求項７に記載の光通信モジュール。
【請求項１０】
外部からの機械的操作を受け、これに伴って当該光通信モジュールと前記上位装置との係止を解除する操作受付部を更に含み、
前記端子取付部に前記光端子が取り付けられた状態では、前記操作受付部の前記機械的操作が不能である、
請求項７に記載の光通信モジュール。
【請求項１１】
前記所定の操作が行われたことを検知し、前記信号を出力する検知部を更に含む、
請求項１に記載の光通信モジュール。
【請求項１２】
前記上位装置は、前記所定の操作を検知したときに前記信号を出力する、
請求項１に記載の光通信モジュール。
【請求項１３】
前記電力制御部は、前記光通信部への電力供給を遮断する、
請求項１に記載の光通信モジュール。
【請求項１４】
前記上位装置からの指令に応じて前記光通信部の動作を制御する動作制御部を更に含み、
前記電力制御部は、前記光通信部への電力供給を抑制し、前記動作制御部への電力供給を維持する、
請求項１に記載の光通信モジュール。
【請求項１５】
上位装置と、
前記上位装置から供給される電力によって動作する光通信部を含み、前記上位装置に対して着脱可能な光通信モジュールと、
を備える光通信装置であって、
前記上位装置に取り付けられた当該光通信モジュールに対して外部から所定の操作が行われたことを検知する検知部と、
前記所定の操作が行われたときに、前記光通信部への電力供給を抑制する電力制御部と、
を備えることを特徴とする光通信装置。
【請求項１６】
上位装置から供給される電力によって動作する光通信部を含み、前記上位装置に対して着脱可能な光通信モジュールの電力制御方法であって、
前記上位装置に取り付けられた当該光通信モジュールに対して外部から所定の操作が行われたことを検知し、
前記所定の操作が行われたときに、前記光通信部への電力供給を抑制する、
光通信モジュールの電力制御方法。
【発明の詳細な説明】
【技術分野】
【０００１】
本発明は、光通信モジュール、その電力制御方法、及び光通信装置に関し、特に光通信モジュールの電力制御に関する。
【背景技術】
【０００２】
近年、光通信モジュールには、上位装置の電源を入れたまま着脱可能であること（いわゆる、ホットプラグ）が求められている。
【発明の開示】
【発明が解決しようとする課題】
【０００３】
ところで、近年、光通信モジュールの高速化及び高機能化が著しく、これに伴って消費電力も増大している。このため、こうした光通信モジュールをホットプラグ操作すると、上位装置の電源を揺らし、他の電子部品に影響が及んでしまう虞がある。
【０００４】
本発明は、上記実情に鑑みて為されたものであり、上位装置からの取り外し前に光通信モジュールの電力消費を低減することが可能な光通信モジュール、その電力制御方法、及び光通信装置を提供することを主な目的とする。
【課題を解決するための手段】
【０００５】
上記課題を解決するため、本発明の光通信モジュールは、上位装置から供給される電力によって動作する光通信部を含み、前記上位装置に対して着脱可能な光通信モジュールであって、前記上位装置に取り付けられた当該光通信モジュールに対して外部から所定の操作が行われたことを表す信号を受け入れて、前記光通信部への電力供給を抑制する電力制御部を含む、ことを特徴とする。
【０００６】
本発明の一態様では、外部からの機械的操作を受ける操作受付部を更に含み、前記電力制御部は、前記操作受付部が前記機械的操作を受けたことを表す信号を受け入れる。
【０００７】
この態様では、前記操作受付部は、前記機械的操作を受けるのに伴って、当該光通信モジュールと前記上位装置との係止を解除してもよい。
【０００８】
この態様では、当該光通信モジュールと前記上位装置とを係止する係止片の変位が検知されて、前記信号が出力されてもよい。
【０００９】
この態様では、前記機械的操作の方向は、当該光通信モジュールの取り外し方向とは異なってもよい。
【００１０】
この態様では、前記機械的操作の方向は、当該光通信モジュールに設けられた軸を中心とする回転方向であってもよい。
【００１１】
本発明の一態様では、光端子が着脱可能な端子取付部を更に含み、前記電力制御部は、前記光端子が前記端子取付部から取り外されたことを表す信号を受け入れる。
【００１２】
この態様では、前記光端子が前記端子取付部に取り付けられているか否かを検知する検知部を更に含んでもよい。
【００１３】
この態様では、前記光通信部は受光素子を含み、前記受光素子が受信する光の強度が所定以下になったときに、前記信号が出力されてもよい。
【００１４】
この態様では、外部からの機械的操作を受け、これに伴って当該光通信モジュールと前記上位装置との係止を解除する操作受付部を更に含み、前記端子取付部に前記光端子が取り付けられた状態では、前記操作受付部の前記機械的操作が不能であってもよい。
【００１５】
本発明の一態様では、前記所定の操作が行われたことを検知し、前記信号を出力する検知部を更に含む。
【００１６】
本発明の一態様では、前記上位装置は、前記所定の操作を検知したときに前記信号を出力する。
【００１７】
本発明の一態様では、前記電力制御部は、前記光通信部への電力供給を遮断する。
【００１８】
本発明の一態様では、前記上位装置からの指令に応じて前記光通信部の動作を制御する動作制御部を更に含み、前記電力制御部は、前記光通信部への電力供給を抑制し、前記動作制御部への電力供給を維持する。
【００１９】
本発明の光通信装置は、上位装置と、前記上位装置から供給される電力によって動作する光通信部を含み、前記上位装置に対して着脱可能な光通信モジュールと、を備える光通信装置であって、前記上位装置に取り付けられた当該光通信モジュールに対して外部から所定の操作が行われたことを検知する検知部と、前記所定の操作が行われたときに、前記光通信部への電力供給を抑制する電力制御部と、を備えることを特徴とする。
【００２０】
本発明の光通信モジュールの電力制御方法は、上位装置から供給される電力によって動作する光通信部を含み、前記上位装置に対して着脱可能な光通信モジュールの電力制御方法であって、前記上位装置に取り付けられた当該光通信モジュールに対して外部から所定の操作が行われたことを検知し、前記所定の操作が行われたときに、前記光通信部への電力供給を抑制する。
【発明の効果】
【００２１】
本発明によれば、上位装置からの取り外し前に光通信モジュールの電力消費を低減することができる。
【発明を実施するための最良の形態】
【００２２】
本発明の光通信モジュール、その電力制御方法、及び光通信装置の実施形態について、図面を参照しながら説明する。
【００２３】
［第１実施形態］
図１は、光通信装置１００の分解斜視図である。光通信装置１００は、光信号の送受信を実現する光通信モジュール１０と、上位装置９０とで構成される。同図では、上位装置９０の一部であるボード９１が示されている。このボード９１には、正面側（前方側）が開放された略Ｕ字状の枠部９３が設けられており、この枠部９３の内側に光通信モジュール１０が装着される。
【００２４】
具体的には、光通信モジュール１０は、ボード９１の前方側に設けられたフロントパネル（不図示）の開口から上位装置９０内に挿入され、枠部９３に取り付けられる。この枠部９３の基端部には、コネクタ９５が設けられており、光通信モジュール１０の背面に設けられたコネクタ（不図示）と接続される。
【００２５】
また、枠部９３の各先端部には、光通信モジュール１０を固定するための係止片９７が設けられている。これら係止片９７は、コイルバネ等によって内側に向けて付勢されており、光通信モジュール１０の筐体１１の側面に設けられた係止溝１７ａに嵌って、光通信モジュール１０を固定する。
【００２６】
こうして上位装置９０に取り付けられた光通信モジュール１０は、筐体１１の正面に設けられた端子取付部１３にプラグ状の光端子が挿入されて、この光端子と繋がる外部装置と光通信を行う。
【００２７】
次に、光通信モジュール１０の前方部には、筐体１１に対して旋回可能に支承された操作受付部（レバー）１５が設けられている。この操作受付部１５は、側方に延びており、直角状に折れ曲がった端部が筐体１１の側面に取り付けられている。この操作受付部１５は、上位装置９０のフロントパネル（不図示）よりも前方側に位置し、ユーザ等によって外部から操作される。
【００２８】
この操作受付部１５は、筐体１１に対して前後方向にスライド可能に支持されたスライド部１７と連動し、係止溝１７ａの開閉を行う。係止溝１７ａが閉じられると、係止片９７が係止溝１７ａから締め出されて、光通信モジュール１０の取り外しが可能となる。なお、上位装置９０のボード９１には、この係止片９７の変位を検知するスイッチ式の検知部９９も設けられている。
【００２９】
具体的には、図２Ａ及び図２Ｂに示されるように、操作受付部１５は、筐体１１の側面に設けられた回転軸１５ｃを中心に旋回する。この回転軸１５ｃから離れた位置には、ピン１５ｅが設けられており、スライド部１７のスライド溝（カム溝）１７ｄに挿入されている。これにより、スライド部１７は、操作受付部１５の旋回に伴って、筐体１１の側面に形成された凹部１１ｂ内を前後方向に移動し、先端部１７ｐの後方側に形成された係止溝１７ａを開閉する。
【００３０】
ここで、図２Ａでは、係止溝１７ａの開状態が示されている。このとき、操作受付部１５は上側に上げられている。光通信モジュール１０は、この状態で上位装置９０の枠部９３に取り付けられる。また、このとき、筐体１１の正面に設けられた端子取付部１３には、光端子８３が挿入可能である。
【００３１】
他方、図２Ｂでは、係止溝１７ａの閉状態が示されている。このとき、操作受付部１５は下側に下げられる。光通信モジュール１０は、この状態になったときに上位装置９０の枠部９３からの取り外しが可能となる。また、このとき、端子取付部１３の前方側は、操作受付部１５により覆われる。
【００３２】
図３Ａ及び図３Ｂは、光通信モジュール１０の係止状態及び係止解除の説明図である。これらの図では、係止溝１７ａ及び係止片９７の付近の断面構造が表されている。また、これらの図における光通信モジュール１０の状態は、図２Ａ及び図２Ｂにそれぞれ対応する。
【００３３】
この図３Ａに示されるように、係止溝１７ａの開状態では、係止片９７は、枠部９３の内側に張り出して、係止溝１７ａに入り込んでいる。これにより、光通信モジュール１０と枠部９３とが係止され、光通信モジュール１０の前後方向の移動が規制される。また、このとき、係止片９７は検知部９９から離れている。
【００３４】
他方、図３Ｂに示されるように、係止溝１７ａの閉状態では、係止片９７は、スライド部１７の先端部１７ｐにより係止溝１７ａから押し出される。これにより、光通信モジュール１０と枠部９３との係止が解除され、光通信モジュール１０の取り外しが可能となる。また、このとき、係止片９７は検知部９９と接触する。
【００３５】
そして、上位装置９０は、係止片９７が変位して検知部９９に接触したことを検知すると、光通信モジュール１０に対し、電力消費の抑制を命ずる制御信号を出力する。この制御信号を受けた光通信モジュール１０の動作については、後に詳しく述べる。
【００３６】
図４は、光通信モジュール１０のブロック図である。光通信モジュール１０は、光信号の送受信を実現する光通信部２０と、動作制御・電力制御回路３０（以下、制御回路３０という。）とを有している。
【００３７】
光通信部２０は、光信号を送信するための構成としてシリアライザー（Serializer）２１、発光素子駆動回路２２及び発光素子２３を有している。このシリアライザー２１は、上位装置９０から並列的に入力される電気信号を直列的に出力し、発光素子駆動回路２２は、入力される電気信号に応じて発光素子２３を駆動する。これにより、発光素子２３は光信号を出力する。
【００３８】
また、光通信部２０は、光信号を受信するための構成としてデシリアライザー（Deserializer）２６、受信回路２７及び受光素子２８を有している。この受光素子２８は、入力される光信号を電気信号に変換し、出力する。受信回路２７は、入力される電気信号を増幅・整形し、出力する。デシリアライザー２６は、入力される電気信号を並列的に上位装置９０に出力する。
【００３９】
制御回路３０は、上位装置９０からの指令に応じて光通信部２０の動作制御および電力制御を行う。
【００４０】
ここで、制御回路３０は、上述の電力消費の抑制を命ずる制御信号を上位装置９０から受信すると、光通信部２０への電力供給を遮断する。光通信部２０の電力消費は、光通信モジュール１０の電力消費の大半を占めることから、光通信部２０への電力供給を遮断することで、光通信モジュール１０の電力消費を大幅に抑制することができる。なお、光通信部２０への電力供給を遮断している間も、制御回路３０は、上位装置９０からの電力供給を受けたままであるので、上位装置９０との間で制御信号の送受信を行うことが可能である。
【００４１】
以上に説明した本実施形態のように、操作受付部１５が機械的操作を受け、係止片９７による係止が解除されたことを検知したときに、光通信部２０への電力供給を遮断することで、光通信部２０への電力供給が遮断されてから、光通信モジュール１０が枠部９３から取り外されるまでの時間を十分に確保することができる。すなわち、光通信モジュール１０が枠部９３から取り外される前までに、光通信モジュール１０の電力消費を十分に低減させることができるので、ホットプラグ操作を行っても上位装置９０の電源の揺れを抑制することができる。
【００４２】
特に、光通信モジュール１０を枠部９３から取り外す操作の前段階である、係止片９７による係止の解除を検知することで、光通信モジュール１０が枠部９３から取り外されるまでの時間を十分に確保することができる。こうした係止片９７による係止の解除は、その後に光通信モジュール１０が取り外される蓋然性が極めて高いことから、光通信部２０への電力供給の遮断の契機とするのに好適である。
【００４３】
また、図２Ａ及び図２Ｂに示されるように、操作受付部１５が機械的操作を受ける方向は、略上下方向であり、光通信モジュール１０の取り外し方向とは異なる。また、操作受付部１５が機械的操作を受ける方向は、筐体１１に設けられた回転軸１５ｃを中心とする回転方向である。このため、操作受付部１５が機械的操作を受けたときの力によって、光通信モジュール１０が枠部９３から外れてしまうことを抑制できる。
【００４４】
また、図２Ｂに示されるように、係止溝１７ａが閉状態になるとき、操作受付部１５は下方に下げられ、端子取付部１３の前方側を覆う。従って、端子取付部１３に光端子８３が挿入されたままでは、操作受付部１５を下方に下げることができず、係止片９７による係止を解除することができない。このため、光通信モジュール１０が通信中に枠部９３から取り外されてしまうことを抑制できる。
【００４５】
なお、上述の態様に限られず、例えば、光通信モジュール１０に対する他の機械的操作を、光通信部２０への電力供給の遮断の契機としてもよい。また、例えば、係止片９７の変位を検知する検知部９９を、光通信モジュール１０側に設けてもよい。この場合、制御回路３０は、検知部９９からの検出信号を直接受けて、光通信部２０への電力供給を遮断する。
【００４６】
［第２実施形態］
以下、第２実施形態について説明する。図５及び図６は、第２実施形態に係る光通信モジュールの説明図及びブロック図である。なお、上記実施形態と重複する構成については、同番号を付すことで詳細な説明を省略する。
【００４７】
本実施形態において、光通信モジュール１０には、端子取付部１３に光端子８３が取り付けられているか否かを検知する検知部３５が設けられている。図５に示されるように、検知部３５は、フォトインタラプタ式のセンサであり、発光部３５ａ及び受光部３５ｂを含む。
【００４８】
具体的には、端子取付部１３には、発光部３５ａから発せられた光が受光部３５ｂに至るように穴部１３ｈが形成されている。少なくとも１つの光端子８３が端子取付部１３に挿入され、光レセプタクル４３に取り付けられている場合には、発光部３５ａから発せられた光は光端子８３に遮られ、受光部３５ｂに至らない。他方、光端子８３が端子取付部１３に挿入されていない場合には、発光部３５ａから発せられた光は受光部３５ｂに至る。これにより、検知部３５は、端子取付部１３に光端子８３が取り付けられているか否かを検知する。
【００４９】
図６に示されるように、この検知部３５は、端子取付部１３から光端子８３が取り外されたことを検知すると、制御回路３０に検出信号を出力する。制御回路３０は、この検出信号を受信すると、光通信部２０への電力供給を遮断する。
【００５０】
以上に説明した本実施形態のように、端子取付部１３から光端子８３が取り外されたことを検知したときに、光通信部２０への電力供給を遮断することで、光通信部２０への電力供給が遮断されてから、光通信モジュール１０が枠部９３から取り外されるまでの時間を十分に確保することができる。すなわち、光通信モジュール１０が枠部９３から取り外される前までに、光通信モジュール１０の電力消費を十分に低減させることができるので、ホットプラグ操作を行っても上位装置９０の電源の揺れを抑制することができる。
【００５１】
こうした端子取付部１３から光端子８３を取り外すという操作は、その後に光通信モジュール１０が取り外される蓋然性が高いことから、光通信部２０への電力供給の遮断の契機とするのに好適である。
【００５２】
特に、図２Ａ及び図２Ｂに示される態様では、端子取付部１３に光端子８３が挿入されたままでは、操作受付部１５を下方に下げることができず、係止片９７による係止を解除することができないことから、端子取付部１３から光端子８３を取り外すという操作は、光通信モジュール１０を枠部９３から取り外す操作の前々段階ということもでき、光通信部２０への電力供給の遮断の契機とするのに好適である。
【００５３】
なお、上述の態様に限られず、例えば、光通信部２０の受光素子２８が受ける光の強度が所定以下になった場合に、端子取付部１３から光端子８３が取り外されたことを検知するようにしてもよい。この場合、制御回路３０は、受信回路２７から検出信号を受け、光通信部２０への電力供給を遮断する。
【００５４】
以上、本発明の実施形態について説明したが、本発明は上記実施形態に限定されるものではなく、種々の変形実施が当業者にとって可能であるのはもちろんである。
【図面の簡単な説明】
【００５５】
【図１】本発明の一実施形態に係る光通信装置の分解斜視図である。
【図２Ａ】本発明の一実施形態に係る光通信モジュールの側面図である。
【図２Ｂ】同光通信モジュールの側面図である。
【図３Ａ】同光通信モジュールの係止状態の説明図である。
【図３Ｂ】同光通信モジュールの係止解除の説明図である。
【図４】同光通信モジュールのブロック図である。
【図５】本発明の一実施形態に係る光通信モジュールの説明図である。
【図６】同光通信モジュールのブロック図である。
【符号の説明】
【００５６】
１０  光通信モジュール、１１  筐体、１１ｂ  凹部、１３  端子取付部、１３ｈ  穴部、１５  操作受付部、１５ｃ  回転軸、１５ｅ  ピン、１７  スライド部、１７ａ  係止溝、１７ｄ  スライド溝、１７ｐ  先端部、２０  光通信部、２１  シリアライザー、２２  発光素子駆動回路、２３  発光素子、２６  デシリアライザー、２７  受信回路、２８  受光素子、３０  動作制御・電力制御回路、３５  検知部、３５ａ  発光部、３５ｂ  受光部、４３  光レセプタクル、８３  光端子、９０  上位装置、９１  ボード、９３  枠部、９５  コネクタ、９７  係止片、９９  検知部、１００  光通信装置。
【図１】
2010093638.tif 000003
【図２Ａ】
2010093638.tif 000004
【図２Ｂ】
2010093638.tif 000005
【図３Ａ】
2010093638.tif 000006
【図３Ｂ】
2010093638.tif 000007
【図４】
2010093638.tif 000008
【図５】
2010093638.tif 000009
【図６】
2010093638.tif 000010